(57)【要約】  【課題】  取り付けおよび取外しを容易に行うことができる固定具を提供する。  【解決手段】  固定具１は、樹脂で一体形成されたスナップ部２と、スナップ部２の一部を取り巻くように配置される金属製のコイルバネ３と、からなる。スナップ部２は、支柱部４と、係止部５と、解除片６と、を備える。支柱部４は、上下方向に延びる板状であって、支柱部４の上端における幅方向両端には、コイルバネ３に接触する接触面を有する接触部７が形成されている。係止部５は、鏃型であって、支柱部４の下端に形成されている。この係止部５は、先端部が支柱部４に連接され、支柱部４の軸方向と交差する方向に弾性変形する一対の係止片５ａからなる。解除片６は、一対の係止片５ａそれぞれの後端部に連接されて、支柱部４に沿って延び、その上端部には外側に向かってツマミ６ａが形成されている。【選択図】図１
2011089590.tif 000002
【特許請求の範囲】
【請求項１】
支柱部と、
前記支柱部の一端側に形成される鏃型の係止部と、
前記係止部に連接された解除片と、を備え、
前記係止部は、先端部が前記支柱部に連接され、前記支柱部の軸方向と交差する方向に弾性変形する一対の係止片からなり、
前記解除片は、前記一対の係止片それぞれの後端部に連接されており、
板状の被固定部材に設けられた取付孔に、当該被固定部材の一方の面から前記係止部を挿入して前記被固定部材の他方の面側に突出させると、前記係止片の後端部が前記取付孔の周縁部に係止し、
前記解除片を前記支柱部に接近させると、前記係止片の後端部が前記取付孔の中心方向に変位して、前記係止部の係止が解除されるように構成される固定具であって、
前記支柱部の他端側に設けられた接触部に前記一端側から接触するものであって、前記係止部を前記取付孔に挿入した状態においては、前記被固定部材を前記一端方向に付勢する付勢部材を備える
ことを特徴とする固定具。
【請求項２】
前記付勢部材は、コイルバネであり、
前記支柱部および前記一対の解除片は、前記コイルバネの筒状内部を通過するように構成されている
ことを特徴とする請求項１に記載の固定具。
【請求項３】
前記支柱部は、その一部の幅が、前記コイルバネの筒状の内径とほぼ等しくなるように形成されている
ことを特徴とする請求項２に記載の固定具。
【請求項４】
前記一対の解除片は、前記コイルバネに対して筒状の内側面から接触するように構成されている
ことを特徴とする請求項２または請求項３に記載の固定具。
【請求項５】
前記付勢部材は、板バネであり、
前記接触部は、前記支柱部から軸方向と交差する方向に突出する突出部であり、
前記板バネは、前記突出部と係合することで、前記支柱部からの脱落が防止されるように構成されている
ことを特徴とする請求項１に記載の固定具。
【請求項６】
前記板バネは、前記突出部が挿入可能な挿入溝が形成されており、前記突出部が前記挿入溝に挿入されることで、前記支柱部からの脱落が防止されるものであって、
前記板バネは、さらに、前記挿入溝の近傍に前記突出部の突出方向と交差する方向に延びる延出部が形成されており、
前記支柱部は、前記延出部が前記突出方向へ移動することを抑制する移動抑制部が形成されている
ことを特徴とする請求項５に記載の固定具。
【請求項７】
前記板バネは、
前記被固定部材を、少なくとも２箇所の付勢点で付勢するように構成されており、
前記被固定部材における付勢面を、前記一対の係止片が配列する方向に沿い、かつ前記取付孔の位置を通過する直線によって２つの領域に分けた際に、何れの領域にも少なくとも１つの前記付勢点が位置するように構成されている
ことを特徴とする請求項５または請求項６に記載の固定具。
【請求項８】
前記付勢部材は、金属で構成されている
ことを特徴とする請求項１から請求項７の何れか１項に記載の固定具。
【発明の詳細な説明】
【技術分野】
【０００１】
本発明は、板状の部材同士の固定や、板状の部材に対するクランプなどの固定に用いる固定具に関する。
【背景技術】
【０００２】
従来、基板を筐体や別の基板などに固定するために、ネジを用いて固定する方法が採られていた。しかしながら、ネジを用いる方法はドライバなどの工具が必要であって取り付けに時間が掛かり、作業性が悪いという問題があった。
【０００３】
そこで、近年、２つの基板それぞれに形成された貫通孔にロッドを通過させ、ロッド先端の分割されたフック（係止片）を一方の基板に係止させるとともに、ロッドの後端と他方の基板との間にコイルバネを配置して２つの基板を固定するクリップが提案されている（特許文献１参照）。このクリップでは、貫通孔にロッドを通すだけで２つの基板を固定できるため、ネジを用いる場合と比較して作業性が向上する。
【先行技術文献】
【特許文献】
【０００４】
【特許文献１】特開２０００−２２０５９号公報
【発明の概要】
【発明が解決しようとする課題】
【０００５】
上記クリップは、クリップを基板から取り外すためには、基板の裏面において先端の分割されたフックを互いに近づけてフックの係止を外す必要がある。しかしながら、例えば基板の裏面のスペースが小さい場合や基板の裏面スペースが閉じられている場合のように、基板の裏面において手や指による操作が困難な場合には、基板の裏面にフックが突出するようにクリップを取り付けると、クリップを取り外すためのフック操作が行えず、取外しができなくなるという問題があった。
【０００６】
本発明は、上述した問題に鑑みてなされたものであり、その目的は、取り付けおよび取外しを容易に行うことができる固定具を提供することである。
【課題を解決するための手段】
【０００７】
上述した問題を解決するためになされた請求項１に記載の発明は、支柱部と、前記支柱部の一端側に形成される鏃型の係止部と、前記係止部に連接された解除片と、を備える固定具である。前記係止部は、先端部が前記支柱部に連接され、前記支柱部の軸方向と交差する方向に弾性変形する一対の係止片からなる。前記解除片は、前記一対の係止片それぞれの後端部に連接されている。また、板状の被固定部材に設けられた取付孔に、当該被固定部材の一方の面から前記係止部を挿入して前記被固定部材の他方の面側に突出させると、前記係止片の後端部が前記取付孔の周縁部に係止し、前記解除片を前記支柱部に接近させると、前記係止片の後端部が前記取付孔の中心方向に変位して、前記係止部の係止が解除されるように構成されている。そして、前記支柱部の他端側に設けられた接触部に前記一端側から接触するものであって、前記係止部を前記取付孔に挿入した状態においては、前記被固定部材を前記一端方向に付勢する付勢部材を備えることを特徴とする。
【０００８】
このように構成された固定具は、被固定部材の取付孔に係止部を挿入すると、被固定部材の他方の面に係止片が係止し、被固定部材の一方の面を付勢部材が付勢するため、被固定部材における一方および他方の面側から被固定部材を挟み込むように作用する。よって、被固定部材が複数の板状の部材からなるものであれば、それらが接触した状態を保持することができる。また、被固定部材に対して固定具を固定できるため、固定具にクランプなどの機能部品を設けておくことで、それらを被固定部材に取り付けることができる。
【０００９】
そして、上記構成の固定具では、係止部を挿入する際、係止片は、支柱部側に弾性変形して取付孔に挿入できる幅に縮小する。そして係止部が被固定部材の他方の面側から突出した後は、係止片が支柱部から離れる方向に弾性変形して取付孔よりも大きく拡張し、取付孔の周縁部に係止する。従って、上記構成の固定具では、被固定部材の取付孔に係止部を挿入するだけで簡便に被固定部材に固定具を取り付けることができる。
【００１０】
また、解除片を支柱部に接近する方向に動かすことで、係止片が取付孔の中心方向に変位して、係止部の係止が解除される。よって、解除片を操作することにより、固定具の取外しを容易に行うことができる。
【００１１】
また、上記構成の固定具では、固定具を挿入した側（被固定部材の一方の面側）にて解除片を操作することができるため、係止部が突出した側（被固定部材の他方の面側）にて係止片を操作することが困難な位置であっても解除片の操作を行なうことができる。
【００１２】
また、上記構成の固定具では、付勢部材が被固定部材を支柱部の一端方向に付勢するため、被固定部材は充分な力を受けて固定されることとなり、固定具を取り付けた後にがたつきが生じることを抑制できる。
【００１３】
また、付勢部材が被固定部材を一端方向に付勢すると、その反力を固定具が受けることとなるが、その反力は、少なくとも支柱部の接触部が受けることとなる。そのため、固定具を被固定部材に取り付けた後において、解除片に付勢部材の付勢力による強い力が加えられることを抑制できる。従って、解除片に強い力が加えられることで解除片の操作が妨げられたり、固定具の機能を損なったりすることがない。
【００１４】
仮に、解除片に付勢部材から強い力が加えられていると、解除片が閉じる方向（支柱部に向けて動く方向）に付勢されて係止部の係止が外れやすくなったり、逆に解除片が開く方向（支柱部から離れる方向）に付勢されて解除片を閉じる操作を妨げられたりする。さらに、解除片と付勢部材との間に摩擦力が生じて解除片がスムーズに変形せず、取付孔に挿入する際に係止部が閉じず挿入できない，取付孔に挿入した後に係止部が開かず取付孔に係止できない，と言った問題が生じる可能性がある。しかしながら、上記構成では解除片に強い力が加わり難いため、これらの問題が生じることを抑制できる。
【００１５】
また、解除片を支柱部に接近させて係止部の係止が解除されると、付勢部材の付勢力によって固定具が取付孔から押し出されるため、固定具を取付孔から抜き出す作業が容易になる。
【００１６】
なお、上記固定具において、支柱部の軸方向とは支柱が延びる方向であって、軸方向の両端が、支柱部の一端および他端となる。
請求項２に記載の発明は、請求項１に記載の固定具において、前記付勢部材がコイルバネであり、前記支柱部および前記一対の解除片が、前記コイルバネの筒状内部を通過するように構成されていることを特徴とする。
【００１７】
このように構成された固定具では、コイルバネにより被固定部材を付勢することができる。また、コイルバネの筒状内部を支柱部と解除片とが通過していることから、支柱部および解除片の一部がコイルバネの筒状体に収められることとなり、固定具をコンパクトな形状とすることができる。
【００１８】
請求項３に記載の発明は、請求項２に記載の固定具において、前記支柱部の一部の幅が、前記コイルバネの筒状の内径とほぼ等しくなるように形成されていることを特徴とする。
【００１９】
このように構成された固定具では、支柱部がコイルバネの筒状に内側面から接触するため、コイルバネが支柱部から容易に脱落してしまうことを抑制できる。また、コイルバネの脱落を防止するために、コイルバネと係合する突起などを支柱部に形成する必要がなくなる。
【００２０】
請求項４に記載の発明は、請求項２または請求項３に記載の固定具において、前記一対の解除片が、前記コイルバネに対して筒状の内側面から接触するように構成されていることを特徴とする。
【００２１】
このように構成された固定具では、解除片がコイルバネの筒状の内側面から接触するため、コイルバネが支柱部から容易に脱落してしまうことを抑制できる。
請求項５に記載の発明は、請求項１に記載の固定具において、前記付勢部材が板バネであり、前記接触部が、前記支柱部から軸方向と交差する方向に突出する突出部であり、前記板バネが前記突出部と係合することで、前記支柱部からの脱落が防止されるように構成されていることを特徴とする。
【００２２】
このように構成された固定具では、板バネにより被固定部材を付勢することができる。また、板バネは、板バネが被固定部材と接触する位置と、接触部と、の距離を短くすることができるため、被固定部材に取り付けた状態で被固定部材から突出する高さを小さくすることができる。
【００２３】
請求項６に記載の発明は、請求項５に記載の固定具において、前記板バネには前記突出部が挿入可能な挿入溝が形成されており、前記突出部が前記挿入溝に挿入されることで、前記支柱部からの脱落が防止されるものであって、前記板バネは、さらに、前記挿入溝の近傍に前記突出部の突出方向と交差する方向に延びる延出部が形成されており、前記支柱部には、前記延出部が前記突出方向へ移動することを抑制する移動抑制部が形成されていることを特徴とする。
【００２４】
このように構成された固定具では、移動抑制部により延出部が突出部の突出方向に移動することを抑制されているため、その延出部の近傍の領域は突出方向に移動できない。そのため、固定具を被固定部材に取り付けて板バネに負荷が掛かった場合などに、板バネの挿入溝が突出部の突出方向へ移動して突出部との係合が外れ、板バネが支柱部から脱落してしまうことを抑制できる。
【００２５】
請求項７に記載の発明は、請求項５または請求項６に記載の固定具において、前記板バネが、前記被固定部材を、少なくとも２箇所の付勢点で付勢するように構成されており、前記被固定部材における付勢面を、前記一対の係止片が配列する方向に沿い、かつ前記取付孔の位置を通過する直線によって２つの領域に分けた際に、何れの領域にも少なくとも１つの前記付勢点が位置するように構成されていることを特徴とする。
【００２６】
このように構成された固定具では、係止片が配列する方向と、板バネの付勢点が配列する方向と、が交差することとなる。その結果、固定具にいずれの方向から荷重が加えられても、固定具が被固定部材に対してずれたり外れたりしにくくなるため、取り付けた状態をしっかりと維持することができる。
【００２７】
請求項８に記載の発明は、請求項１から請求項７の何れか１項に記載の固定具において、前記付勢部材が金属で構成されていることを特徴とする。
このように構成された固定具では、付勢部材が金属であるため、熱による性能の劣化が小さく、また長期間使用しても付勢力の劣化が小さいため、長期間において固定具と被固定部材とのがたつきが生じることを抑制することができる。
【図面の簡単な説明】
【００２８】
【図１】実施例１の固定具を示す斜視図
【図２】スナップ部を示す斜視図
【図３】スナップ部を示す側面図
【図４】固定具を示す側面図
【図５】被固定部材を示す斜視図
【図６】被固定部材に固定具を取り付けた状態を示す斜視図
【図７】被固定部材に固定具を取り付けた状態を示す側面断面図
【図８】実施例２の固定具を示す斜視図
【図９】スナップ部を示す斜視図および側面図
【図１０】板バネを示す斜視図および側面図
【図１１】固定具を示す側面断面図
【図１２】被固定部材に固定具を取り付けた状態を示す斜視図
【図１３】被固定部材に固定具を取り付けた状態を示す側面断面図
【発明を実施するための形態】
【００２９】
以下に本発明の実施形態を図面と共に説明する。
［実施例１］
（１）固定具の構成
本実施例の固定具１を、図１（Ａ），（Ｂ）に示す。図１（Ａ）は固定具１の斜視図，図１（Ｂ）は図１（Ａ）と逆の視点から見た固定具１の斜視図である。
【００３０】
固定具１は、樹脂で一体形成されたスナップ部２と、スナップ部２の一部を取り巻くように配置される金属製の円筒形のコイルバネ３と、からなる。
スナップ部２単体の斜視図を図２に示す。また、スナップ部２を図２の矢印Ａ方向から見た側面図を図３（Ａ）に示し、矢印Ｂ方向から見た側面図を図３（Ｂ）に示す。また、図３（Ａ），（Ｂ）と同じ視点にて、スナップ部２にコイルバネ３を取り付けた状態の固定具１の側面図を図４（Ａ），（Ｂ）に示す。
【００３１】
図２などに示すように、スナップ部２は、支柱部４と、係止部５と、解除片６と、接触部７とを備えるものである。
支柱部４は、上下方向に延びる板状の形状であって、図３（Ａ）に示すように、その上側の領域における幅方向両端に、幅方向に突出した拡張部４ａが形成されている。拡張部４ａの両端間の幅は、コイルバネ３の筒状の内径とほぼ等しくなるように形成されており、コイルバネ３を取り付けると、図４（Ａ）に示すように、拡張部４ａとコイルバネ３の内周面とが接触する。
【００３２】
なお、本発明における支柱部の軸方向とはこの上下方向であって、支柱部４の下端が本発明の一端、支柱部４の上端が本発明の他端に相当する。
また、図３（Ａ）に示すように、支柱部４の上端における幅方向両端には、コイルバネ３に接触する接触面７ａを有する接触部７が形成されている。接触部７は、コイルバネ３に上側から接触する。
【００３３】
係止部５は、図３（Ｂ）に示すように、支柱部４の下端に形成されており、下方向を向く鏃型の形状である。この係止部５は支柱部４を中心として互いに反対側に形成された一対の係止片５ａを有している。係止部５ａは先端部（下端部）が支柱部４に連接され、支柱部４の軸方向と交差する方向（図３（Ｂ）における左右方向）に弾性変形する。
【００３４】
解除片６は、一対の係止片５ａそれぞれの後端部（上端部）に連接されて、支柱部４に沿って延び、その上端部には外側に向かってツマミ６ａが形成されている。
また、解除片６は、その上下方向の中央付近の外側に段差６ｂが形成されており、段差６ｂの上側に位置する上側面６ｃが、段差６ｂの下側に位置する下側面６ｄより外側に配置されるようになる。
【００３５】
スナップ部２にコイルバネ３を取り付けると、図４（Ａ），（Ｂ）に示すように、支柱部４と解除片６の一部がコイルバネ３の筒状内部を通過する。また、一対の解除片６は内側方向に押された状態となり、上側面６ｃがコイルバネ３の内周面と接触する。このとき、下側面６ｄはコイルバネ３と接触しない。
（２）固定具の使用態様
本実施例の固定具１は、２つの板状の被固定部材を接触した状態で保持するために取り付けるものである。被固定部材である板状の第１被固定部材１０と第２被固定部材１１は、図５に示すように、予め取付孔１０ａ、１１ａが形成されている。第１被固定部材１０と第２被固定部材１１とは、固定具１により取付孔１０ａ、１１ａが重なるように接触して保持される。
【００３６】
各被固定部材に固定具１を取り付けた状態の斜視図を図６（Ａ）に示す。また、図６（Ａ）と逆の視点からみた斜視図を図６（Ｂ）に示す。また、固定具１を取り付けた状態での側面図断面図を図７に示す。
【００３７】
第１被固定部材１０に設けられた取付孔１０ａに、第１被固定部材の上側面１０ｂから係止部５を挿入すると、係止片５ａの後端部（上端部）は、支柱部４側に弾性変形して取付孔１０ａに挿入できる幅に縮小する。その状態で第２被固定部材１１の取付孔１１ａを通過して、第２被固定部材１１の下側面１１ｂに突出させると、係止片５ａは、支柱部４から離れる方向に弾性変形して取付孔１１ａよりも大きく拡張し、図７に示すように、係止片５ａの後端部（上端部）が取付孔１１ａの周縁部に係止する。
【００３８】
この状態において、コイルバネ３は、第１被固定部材１０の取付孔１０ａの周縁部と接触し、固定具１の接触部７との間で圧縮される。従って、第１被固定部材１０は、圧縮されたコイルバネ３の弾性力により第２被固定部材１１側に付勢される。このようにして、第１被固定部材１０と第２被固定部材１１とが重なる状態が保持される。
【００３９】
またこの状態において、ツマミ６ａを操作して解除片６同士を支柱部４側に接近させると、係止片５ａの後端部が取付孔１１ａの中心方向に変位して、係止部５の係止が解除される。
（３）発明の効果
このように構成された固定具１では、第１被固定部材１０の取付孔１０ａ，および第２被固定部材１１の取付孔１１ａに係止部５を挿入するだけで簡便に第１被固定部材１０と第２被固定部材１１とを固定具１を取り付けて固定することができる。
【００４０】
また、解除片６のツマミ６ａを操作することにより、固定具１の取外しを容易に行うことができる。
また、固定具１を挿入した側（第１被固定部材１０の上側面１０ｂ）にてツマミ６ａを操作することができるため、係止部５が突出した側（第２被固定部材１１の下側面１１ｂ）にて係止片５ａを操作することが困難な位置であっても固定具１の取外しを容易に行なうことができる。
【００４１】
また、固定具１を第１被固定部材１０および第２被固定部材１１に取り付けた状態では、コイルバネ３が第１被固定部材１０を下方向に付勢するため、第１被固定部材１０および第２被固定部材１１は充分な力を受けて固定されることとなり、取り付け後にがたつきが生じることを抑制できる。
【００４２】
また、スナップ部２においては、コイルバネ３の反力は、接触部７のみが受けることとなる。そのため、固定具１を第１被固定部材１０および第２被固定部材１１に取り付けた状態において、解除片６にコイルバネ３の力が加えられることを抑制できる。従って、解除片６に強い力が加えられることで解除片６の操作が妨げられたり、解除片６がコイルバネ３の力で閉じてしまい固定具１の機能を損なったりすることがない。
【００４３】
また、解除片６を支柱部４に接近させて係止部５の係止が解除されると、コイルバネ３の付勢力によって固定具１が取付孔１０ａから押し出されるため、固定具１の取外しが容易になる。
【００４４】
また、上記構成の固定具１では、コイルバネ３の筒状内部を支柱部４と解除片６とが通過していることから、支柱部４および解除片６の一部がコイルバネ３の筒状体に収められることとなり、固定具１をコンパクトな形状とすることができる。
【００４５】
また、上記構成の固定具１では、支柱部４の拡張部４ａがコイルバネ３の筒状に内側面から接触するため、コイルバネ３が支柱部４によって保持され、スナップ部２からの脱落が抑制される。また、解除片６も同様にコイルバネ３の筒状の内側面から接触するため、解除片６が支柱部４側に接近する操作を受けていないときは、解除片６によってもコイルバネ３の脱落が抑制される。
【００４６】
従って、コイルバネ３の脱落を防止するために、コイルバネ３と係合する突起などを支柱部４などに形成する必要がなくなる。
また、上記構成の固定具１では、コイルバネ３が金属製であるため、樹脂と比較して耐熱性が良好であるうえ、長期間使用しても付勢力の劣化が小さく、長期間がたつきを押さえることができる。
［実施例２］
（１）固定具の構成
本実施例の固定具３１を、図８（Ａ），（Ｂ）に示す。図８（Ａ）は固定具３１の斜視図，図８（Ｂ）は図８（Ａ）の逆側から見た固定具３１の斜視図である。
【００４７】
固定具３１は、樹脂で一体形成されたスナップ部３２と、スナップ部３２に取り付けられてなる金属性の板バネ３３と、からなる。
スナップ部３２の斜視図を図９（Ａ）に示す。また、図９（Ａ）の矢印Ｂ方向から見た側面図を図９（Ｂ）に示す。
【００４８】
スナップ部３２は、支柱部３４と、係止部３５と、解除片３６とを備えるものである。
支柱部３４は、上下方向に延びる板状の板状部４０と、板状部４０の上端に設けられ、板バネ３３を保持する保持部４１と、からなる。なお、本発明における支柱部の軸方向とは上述した上下方向であって、支柱部３４の下端が本発明の一端、支柱部３４の上端が本発明の他端に相当する。
【００４９】
上記保持部４１は、板状部４０の厚み方向（図中左右方向）に延びる基部４１ａと、基部４１ａの両端部において板状部４０の幅方向（図中前後方向）に延びる一対の側柱部４１ｂと、を有する。
【００５０】
基部４１ａには、支柱部３４の軸方向と交差する方向（図中前後方向）に突出する一対の突出部４１ｃ（本発明における接触部に相当する）が設けられている。
また、側柱部４１ｂには、固定具３１の中心方向と上方向が開いた溝部４１ｄ（本発明における移動抑制部に相当する）が、一対の突出部４１ｃの左右両側に設けられている。
【００５１】
係止部３５は、支柱部３４の下端に形成されており、下方向を向く鏃型の形状である。この係止部３５は支柱部３４を中心として互いに反対側に形成された一対の係止片３５ａを有している。係止片３５ａは、先端部（下端部）が支柱部３４に連接され、支柱部３４の軸方向と交差する方向（図中左右方向）に弾性変形する。
【００５２】
解除片３６は、一対の係止片３５ａそれぞれの後端部（上端部）に連接されており、支柱部３４に沿って延び、その上端部には外側に向かってツマミ３６ａが形成されている。
板バネ３３の斜視図を図１０（Ａ）に示す。また、図１０（Ａ）における矢印Ｃ方向から見た側面図を図１０（Ｂ）に示す。板バネ３３は、天井部３３ａと、天井部３３ａの前後両端から下方向に延びる一対の縦板部３３ｂと、縦板部３３ｂの下端から下方向に連接される断面が略くの字型である一対のバネ部３３ｃと、を有している。
【００５３】
縦板部３３ｂは、その中央部から天井部３３ａの端部にかけて、貫通孔３３ｄ（本発明における挿入溝に相当する）が形成されている。また、縦板部３３ｂの左右両端において外側に延び出す延出部３３ｅが形成されている。
【００５４】
固定具３１を図８における矢印Ａから見た側面断面図を図１１に示す。
板バネ３３は、突出部４１ｃが貫通孔３３ｄに挿入されることで、支柱部３４からの脱落が防止される。具体的には、板バネ３３が上方向に移動しようとすると、突出部４１ｃが貫通孔３３ｄに上側から接触するため、上方向への移動が抑制されることで脱落が防止される。また、図８（Ａ）に示すように、延出部３３ｅは溝部４１ｄに挿入された状態となる。
（２）固定具の使用態様
本実施例の固定具３１は、２つの板状の被固定部材を接触した状態で保持するために取り付けるものである。被固定部材である第１被固定部材１０と第２被固定部材１１は、図５に示す実施例１と同様の構成である。
【００５５】
各被固定部材に固定具３１を取り付けた状態の斜視図を図１２（Ａ）に示す。また、図１２（Ａ）と逆の視点からみた斜視図を図１２（Ｂ）に示す。また、図１２（Ａ）を矢印Ｄ方向から見た側面図を図１３（Ａ）に示し、図１２（Ａ）を矢印Ｅ方向から見た側面図を図１３（ｂ）に示す。
【００５６】
係止部３５を取付孔１０ａに挿入して取付孔１１ａから突出するまでの動作は実施例１の係止部５の場合と同様である。係止部３５を取付孔１１ａから突出させると、図１２（Ｂ）に示すように、係止片３５ａの後端部が取付孔１１ａの周縁部における左右の側面に係止する。
【００５７】
この状態において、板バネ３３は、第１被固定部材１０の取付孔１０ａの周縁部における前後方向に離れた２箇所の付勢点にて第１被固定部材１０と接触し、バネ部３３ｃが屈曲する。従って、第１被固定部材１０は、屈曲した板バネ３３の弾性力により第２被固定部材１１側に付勢される。このようにして、第１被固定部材１０と第２被固定部材１１とが重なる状態が保持される。
【００５８】
またこの状態において、ツマミ３６ａを操作して解除片３６同士を支柱部３４側に接近させると、係止片３５ａの後端部が取付孔１１ａの中心方向に変位して、係止部３５の係止が解除される。
（３）発明の効果
本実施例の固定具３１では、実施例１の固定具１と同様に、固定具３１の取り付け及び取り外しを容易に行うことができる。
【００５９】
また、固定具３１を第１被固定部材１０および第２被固定部材１１に取り付けた状態では、板バネ３３が第１被固定部材１０を下方向に付勢するため、第１被固定部材１０および第２被固定部材１１は充分な力を受けて固定されることとなり、固定具３１を取り付けた後にがたつきが生じることを抑制できる。
【００６０】
また、スナップ部３２においては、板バネ３３の反力は、突出部４１ｃが受けることとなる。そのため、固定具３１を第１被固定部材１０および第２被固定部材１１に取り付けた状態において、解除片３６に板バネ３３の力が加えられることを抑制できる。従って、解除片３６に強い力が加えられることで解除片３６の操作が妨げられたり、解除片３６が板バネ３３の力で閉じてしまい固定具３１の機能を損なったりすることがない。
【００６１】
また、解除片３６を支柱部３４に接近させて係止部３５の係止が解除されると、板バネ３３の付勢力によって固定具３１が取付孔１０ａから押し出されるため、固定具３１の取外しが容易になる。
【００６２】
また、上記構成の固定具３１では、板バネ３３により第１被固定部材１０および第２被固定部材１１を付勢している。付勢部材として板バネを採用することで、板バネ３３が第１被固定部材１０と接触する位置と、突出部４１ｃと、の距離を短くすることができる。そのため、固定具３１では、第１被固定部材１０および第２被固定部材１１に取り付けた状態で第１被固定部材１０から突出する高さを小さくすることができる。
【００６３】
また、上記構成の固定具３１では、溝部４１ｄにより延出部３３ｅが突出部４１ｃの突出方向に移動することを抑制されているため、板バネ３３における延出部３３ｅの近傍の領域は上記突出方向に移動できない。そのため、延出部３３ｅの近傍の領域である溝部４１ｄが突出部４１ｃの突出方向へ移動して突出部４１ｃとの係合が外れて、板バネ３３が支柱部３４から脱落してしまうことを抑制できる。
【００６４】
また、上記構成の固定具３１では、一対の係止片３５ａが配列する方向は左右方向であり、板バネ３３の付勢点が配列する方向は前後方向であるため、それらの配列方向は直交している。これにより、固定具３１を取り付けた状態において固定具３１に荷重が加えられたとき、左右方向の荷重は一対の係止片３５ａが受け、また前後方向の荷重は板バネ３３の２箇所の付勢点が受けることができるため、何れの方向の荷重を受けても固定具３１が容易にずれることなく、取り付けた状態をしっかりと維持することができる。
【００６５】
なお、板バネ３３による２箇所の付勢点は、上述した位置以外であっても、上述した効果と同様の効果を得ることができる。具体的には、第１被固定部材１０の上側面１０ｂを、一対の係止片３５ａが配列する方向に沿い、かつ取付孔１０ａの位置を通過する直線によって２つの領域に分けた際に、何れの領域にも少なくとも１つの付勢点が位置するように構成されていればよい。なお、付勢点が３箇所以上である場合には、それらのうちのいずれか２点が上記関係を満たせばよい。
［変形例］
以上、本発明の実施例について説明したが、本発明は、上記実施例に何ら限定されることはなく、本発明の技術的範囲に属する限り種々の形態をとり得ることはいうまでもない。
【００６６】
例えば、上記各実施例においては、固定具１，３１が、２つの板状の被固定部材を接触した状態で保持する構成を例示したが、３つ以上の被固定部材を保持する構成であってもよいし、１つの被固定部材に取り付ける構成であってもよい。１つの被固定部材に取り付ける場合には、固定具にクランプなどの機能部品を設け、その機能部品を被固定部材に取り付ける構成であってもよい。
【符号の説明】
【００６７】
１…固定具、２…スナップ部、３…コイルバネ、４…支柱部、４ａ…拡張部、５…係止部、５ａ…係止片、６…解除片、６ａ…ツマミ、６ｂ…段差、６ｃ…上側面、６ｄ…下側面、７…接触部、７ａ…接触面、１０…第１被固定部材、１０ａ…取付孔、１０ｂ…上側面、１１…第２被固定部材、１１ａ…取付孔、１１ｂ…下側面、３１…固定具、３２…スナップ部、３３…板バネ、３３ａ…天井部、３３ｂ…縦板部、３３ｃ…バネ部、３３ｄ…貫通孔、３３ｅ…延出部、３４…支柱部、３５…係止部、３５ａ…係止片、３６…解除片、３６ａ…ツマミ、４０…板状部、４１…保持部、４１ａ…基部、４１ｂ…側柱部、４１ｃ…突出部、４１ｄ…溝部
【図１】
2011089590.tif 000003
【図２】
2011089590.tif 000004
【図３】
2011089590.tif 000005
【図４】
2011089590.tif 000006
【図５】
2011089590.tif 000007
【図６】
2011089590.tif 000008
【図７】
2011089590.tif 000009
【図８】
2011089590.tif 000010
【図９】
2011089590.tif 000011
【図１０】
2011089590.tif 000012
【図１１】
2011089590.tif 000013
【図１２】
2011089590.tif 000014
【図１３】
2011089590.tif 000015